(57)【要約】      （修正有）【課題】ループコードによって物品の大きさや長さが規制されることがなく、かつ物品潜らせループに物品を潜らせることなくコード通孔付き品物への取り付け取り外しを行うことを可能としたループコード付き物品を提供する。【解決手段】物品１００と、この物品に取付けられた、１本のループコード５と、このループコードの端側に設けられた品物Ｋのコード通し取付け孔７を通らない大きさのストッパー部材８とからなり、前記ループコードを適宜な部位で折合わせ一対にして前記コード通し取付け孔に通し、通り抜けた部分を広げてストッパー潜らせループ６を形成し、このストッパー潜らせループに前記ストッパー部材を潜らせ、該ループコードを引いて該ストッパー潜らせループを縮め締めて、縮め締めた該ストッパー潜らせループから該ストッパー部材が抜けないようにして、よって、品物に該ループコードを直接的に取付けるようにしてなるものである。【選択図】図１０
2010227299.tif 000002
【特許請求の範囲】
【請求項１】
コード通し孔を有する携帯電話、携帯カメラ、音楽プレイヤー、携帯無線機、携帯警報機、肩掛けバック、手提げカバン、置物、展示品などのコード通孔付き品物Ｋ、前記コード通し孔に通して取り付けられる、物品にループコードを備えたループコード付き物品であって、
物品と、
この物品に直接的に設けられたあるいは他の部材を介して間接的に設けられた、ループを形成する一本のコード部位が折り合わせられた２本コード状態で前記コード通し孔に通されて潜らせループを形成するループコード、
このループコードに設けられた直接的に設けられたあるいは他の部材を介して間接的に設けられた前記潜らせループに潜らせるための前記コード通し孔を通らない形態のストッパー部材とからなるとともに、前記潜らせループに前記ストッパー部材の全部をあるいは一部を潜らせた状態にして、前記物品あるいはループコードを該潜らせループを萎めるように引いて該ストッパー部材が外れないようにロックすることによって取り付けるようにしたことを特徴とするループコード付き物品。
【請求項２】
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品。
【発明の詳細な説明】
【技術分野】
【０００１】
本発明は、コード通孔を有する携帯電話、携帯カメラ、携帯カメラ、音楽プレイヤー、携帯無線機、携帯警報機、肩掛けバック、手提げカバン、置物、展示品などのコード通し孔付き品物に取付けて使用する、あるいは該コード通孔付き品物Ｋを取付けて使用するループコード付き物品に関する。
【背景技術】
【０００２】
従来の取り付けコード付き物品は、物品に取付けられた松葉、ヘビロなどと呼ばれるループコードをコード通孔付き品物Ｋの２ｍｍ〜４ｍｍ程度のコード通し孔に通して物品潜らせループを形成し、この物品潜らせループに該物品を潜らせて引き操作して物品潜らせループを萎めることによって、コード通孔付き品物Ｋにループコード付き物品を取付けるものである。（例えば特許文献１）
【先行技術文献】
【特許文献】
【０００３】
【特許文献１】特開2006-247083号公報
【非特許文献】
【０００４】
【非特許文献１】特になし
【発明の開示】
【発明が解決しようとする課題】
【０００５】
上述した特許文献１のものは、紐（７）（松葉、ヘビロ）はコード通し孔に通された状態で、チューブ（１）（物品）を潜り通すことができる大きさの物品潜らせループを形成する長さとしたければならないという欠点を有するものであり、それにより例えば物品の大きさが制限されてしまうのであった。
また、取り外す場合は必ず物品潜らせループを指で摘み広げて、物品を潜らせ外さなければならないという煩雑な取り外し操作をしなければならないという欠点を有するものであった。
【０００６】
本発明は以上のような従来技術の欠点に鑑み、ループコードによって物品の大きさや長さが規制されることがないとともに、物品潜らせループに物品を潜らせること無くコード通孔付き品物Ｋへの取り付け取り外しが簡単に行うことを可能としたループコード付き物品を提供するにある。
【０００７】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００８】
上記目的を達成するために、本発明は次のような構成となっている。
＜請求項１記載の発明＞
コード通し孔を有する携帯電話、携帯カメラ、音楽プレイヤー、携帯無線機、携帯警報機、肩掛けバック、手提げカバン、置物、展示品などのコード通孔付き品物Ｋ、前記コード通し孔に通して取り付けられる、物品にループコードを備えたループコード付き物品であって、
物品と、
この物品に直接的に設けられたあるいは他の部材を介して間接的に設けられた、ループを形成する一本のコード部位が折り合わせられた２本コード状態で前記コード通し孔に通されて潜らせループを形成するループコードと、
このループコードに設けられた直接的に設けられたあるいは他の部材を介して間接的に設けられた前記潜らせループに潜らせるための前記コード通し孔を通らない形態のストッパー部材とからなるとともに、前記潜らせループに前記ストッパー部材の全部をあるいは一部を潜らせた状態にして、前記物品あるいはループコードを該潜らせループを萎めるように引いて該ストッパー部材が外れないようにロックすることによって取り付けるようにしたことを特徴とするループコード付き物品である。
＜請求項２記載の発明＞
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品である。
【発明の効果】
【０００９】
以上の説明から明らかなように、本発明にあっては次に列挙する効果が得られる。
＜請求項１記載の発明の効果＞
コード通し孔を有する携帯電話、携帯カメラ、音楽プレイヤー、携帯無線機、携帯警報機、肩掛けバック、手提げカバン、置物、展示品などのコード通孔付き品物Ｋ、前記コード通し孔に通して取り付けられる、物品にループコードを備えたループコード付き物品であって、
物品と、
この物品に直接的に設けられたあるいは他の部材を介して間接的に設けられた、ループを形成する一本のコード部位が折り合わせられた２本コード状態で前記コード通し孔に通されて潜らせループを形成するループコードと、
このループコードに設けられた直接的に設けられたあるいは他の部材を介して間接的に設けられた前記潜らせループに潜らせるための前記コード通し孔を通らない形態のストッパー部材とからなるとともに、前記潜らせループに前記ストッパー部材の全部をあるいは一部を潜らせた状態にして、前記物品あるいはループコードを該潜らせループを萎めるように引いて該ストッパー部材が外れないようにロックすることによって取り付けるようにしたことを特徴とするループコード付き物品であるので、
ループコードをコード通し穴に通し形成して潜らせループに物品を潜らせること無く、ループコードに設けたストッパー部材を該潜らせループに潜らせるというループコードの先端側操作だけで取付け取り外しができるとう効果を奏する。よって、ループコードを潜らない大きさの大きな物品を有するループコード付き物品を実現するものである。
＜請求項２記載の発明の効果＞
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品であるので、
請求項１記載の発明と同様な効果を奏するとともに、ループコードを筐体に全て巻き取る形態のコード巻取り装置の場合、筐体とコード通し孔付き品物（携帯電話、携帯カメラなど）との間に着脱パーツや松葉などの他の連結手段を介在させないで、ループコードそのものがコード通し孔付き品物に取り付けられるので、ループコードの全巻取り状態にあっては、コード巻取り装置とコード通し孔付き品物が離れていない形態を実現するという効果を奏する。これによって、例えば、図４（第２の実施の形態）に示すような首から提げケースにコード付勢巻取り装置に吊った携帯電話を収納するような使用においては、底開口部から引き出したループコードにその先端操作だけで携帯品（コード通し孔付き品物）を取り付けたり外したりすることが自在に行えるとともに、ループコードの全巻取り状態にあっては携帯品（コード通し孔付き品物）をケース天井に近接ないし当接する部位まで上げて支持することを可能とするので、携帯品を全部収納する場合のケースにおいてはその長さを最小長さのものにできる。（従来のように巻取りコードの先端に着脱パーツや松葉などの連結手段を設けた形態においては、連結手段の分だけケースを長くしなければならない。）
また、にコード引出口が二つ設けられて、ループコードの一対のコード部分が分けられて引き出され引き込みされる構成であるので、コードが撚れた場合はすぐに撚れたことがわかるという効果を奏する。よって、撚れを直して常に撚れない使用を可能とするものである。
【図面の簡単な説明】
【００１０】
【図１】本発明の第１の実施の形態の正面図およびコード通孔付き品物Ｋへの取付け手順図。
【図２】本発明の第１の実施の形態のロック状態でのコード通孔付き品物Ｋの停止位置例図。
【図３】本発明の第１の実施の形態のロック状態の断面図およびロック解除状態の断面図。
【図４】本発明の第２の実施の形態のケースにコード通孔付き品物Ｋを収納した状態の正面図およびコード通孔付き品物Ｋをケースから出し下降させた状態の側面図。
【図５】本発明の第３の実施の形態の正面図およびコード通孔付き品物Ｋを取付け下降させた状態例の正面図。
【図６】本発明の第４の実施の形態の正面図およびコード通孔付き品物Ｋを取付け下降させた状態例の正面図。
【図７】本発明の第４の実施の形態のロック機構部の断面図。
【図８】本発明の第５の実施の形態の小さいループ状態の正面図、大きいループ状態の正面図、コード通孔付き品物Ｋを取付けた状態で該コード通孔付き品物Ｋを筐体に接近させた状態の正面図。
【図９】本発明の第６の実施の形態の物品の他の形態を示す斜視図。
【図１０】本発明の最良の実施の形態である第７の実施の形態の正面図、ループにストッパー部材を潜らせた状態図、取付け完了図。
【図１１】本発明の最良の実施の形態である第７の実施の形態の取付け手順図。
【図１２】本発明の最良の実施の形態である第７の実施の形態の複数の異なる例を示す図。
【図１３】本発明の最良の実施の形態である第８の実施の形態の取付け手順図。
【発明を実施するための最良の形態】
【００１１】
以下、図面に示す本発明の形態を詳細に説明する。但し、それらのみに本発明を限定する趣旨のものではない。
【００１２】
＜第１の実施の形態＞
図１ないし図３に示す本発明の第１の実施の形態において、１はループコード付き物品からなるループコード付き物品であって、このループコード付き物品１は、
コード引出口１２ａ、１２ｂを側面に有する筐体２、この筐体２内に回転自在に設けられ且つ駆動バネ３により巻取り方向に付勢巻取り回転をする巻取り体４、コード引出口１２ａ、１２ｂを通され巻取り体４に一対形態で付勢巻き取られるとともに、引き出され筐体２の外でループを形成するループコード５、筐体５、巻取り体４からなる物品１３と、
ループコード５に移動自在に設けられたストッパー部材８とからなるものである。
コード通し孔７を有する携帯電話、携帯カメラ、音楽プレイヤー、携帯無線機、携帯警報機、肩掛けバック、手提げカバン、置物、展示品などのコード通孔付き品物Ｋに取り付ける使用は、
ループコード５のループを形成する一本のコード部位を折り合わせられた２本コード状態にしてコード通し孔７に通して潜らせループ６を形成し（図１の＜ｂ＞）、
潜らせループ６にストッパー部材８を潜らせた状態にして（図１の＜ｃ＞）、
物品１３あるいはループコード５を潜らせループ６を萎めるように引いてストッパー部材８が外れないようにロックすることによって取り付ける。
ループコード５の全体あるいは少なくとも先端側の適宜な長さが（本実施例では全体）、携帯電話、デジタルカメラなどのコード通孔付き品物Ｋに設けられたコード通し孔７に先端を折り合わせてループ状態で通すことができる太さであるとともに、コード通し孔７が折れ曲がっていてその内壁に当り擦れても、崩れることなく通される適宜なしなやかさと硬さを有するものであり、かつ、ループコード５先端が筐体２に当り引き込み動作が止められた最終巻取り状態となっても前記巻取り体４を巻取り回転させようとする巻取り回転付勢力を有してなる（巻取り回転付勢力が残っている状態）ことを特徴とするものである。
ループコード５は引き出し口１２ａ、１２ｂの間にある壁によって筐体２内に引き込まれるのが阻止される。
ループコードの太さが直径０．９ｍｍ以下とするのがよい。一般的な松葉紐の太さは０．７ｍｍ〜０．８ｍｍ程度である。
ストッパー部材８の形態は、球体、角体、錐体、板体、棒体、ハート、星、キャラクター、マーク、ロゴなど多様な形態がある。
【００１３】
図３に示すように筐体２の内部構造およびロック機構は次のような構成となっている。
裏側が全面開口された筐体形成部材１０と、
この筐体形成部材１０の表板の中心に設けられた貫通筒部１１と、
この貫通筒部１１に内端を固定して設けられた発条である駆動バネ３と、
この駆動バネ３を内側にしてその外端を固定させて該駆動バネ３の巻取り不勢力により付勢巻取り回転する巻取り体４と、
この巻取り体４に重ね状態で巻取られたループコード５と、
筐体形成部材１０の側面に設けられたループコード５が引き出されている引き出し口（図示せず）と、
貫通筒部１１に筐体２を摘んだ指で押し込み可動可能に入れられた中空形態のロックＯＮ・ＯＦＦボタン１４、このロックＯＮ・ＯＦＦボタン１４の背部に貫通筒部１１と一体的に設けられた広鍔形態の巻取り体４に当接してその付勢回転を止めるロック板１５とからなるロック体１６と、
ロックＯＮ・ＯＦＦボタン１４の内部に設けられた押し出し付勢手段である圧縮コイルバネ１７と、
筐体形成部材１０の裏側開口をネジによる締め付け固定、接着、融着あるいは溶着などにより塞ぐ裏板１８と、とからなっている。
筐体２を指で摘み、その指でロックＯＮ・ＯＦＦボタン１４を押し込むと圧縮コイルバネ１７の付勢力に抗して巻取り体４に付勢当接していたロック板１５が移動して巻取り体４から離れロック状態が解除される。ロックＯＮ・ＯＦＦボタン１４を押し込んだ状態のまま移動操作（ループロール６の引き出し引き込み操作）を自在に行うことができる。ロックＯＮ・ＯＦＦボタン１４を解放すると圧縮コイルバネ１７の押し出し付勢力によりロック板１５が巻取り体４に付勢当接して駆動バネ３による付勢巻取り回転を止めロックする。
すなわち、ループコード５を出入両方向に対してロックするための、巻取り体４をロックするロック機構を設け、このロック機構を構成する部位である指で押し込みロック解除を行うためのロックＯＮ・ＯＦＦボタン１４が筐体２の表側あるいは裏側に設けられ、主に親指を裏側に当て人差し指ないし中指を表側に当てた摘み状態で、そのいずれかの指で前記ロックＯＮ・ＯＦＦボタン１４を押し込み移動させることにより前記ロック状態を解除し、該ロックＯＮ・ＯＦＦボタン１４を解放すると該ロック状態となる。
コード通孔付き品物Ｋにループコード５の最終巻取り状態では、取付けたコード通孔付き品物Ｋとループコード付き物品１の筐体２との距離を略接した状態あるいは近傍した状態（図２の＜ｇ＞図）にでき、かつ、コード通孔付き品物Ｋを筐体から遠ざける（移動させる）ことのできる（図２の＜ｆ＞図）。
【００１４】
次に、異なる実施の形態について説明する。なお、これら異なる実施の形態の説明に当たって、前述してある実施の形態と同一構成部分には同一符号を付して重複する説明を省略する。
【００１５】
＜第２の実施の形態＞
図４に示す本発明の第２の実施の形態において前記第１の実施の形態と主に異なる点は、ループコード付き物品１のロック機構部を有さない形態としたループコード付き物品１９を使用して、携帯電話あるいは携帯カメラなどのコード通孔付き品物Ｋを首から提げて携行するための、コード通孔付き品物Ｋの携行補助具２０を形成した点にある。
コード通孔付き品物Ｋの携行補助具２０は、ケース本体２１、このケース本体２１の底開口部２２、この底開口部２２を開閉するケース本体２１の背面壁から垂れ下がるように設けられた片形態の底塞ぎ蓋２３、この底塞ぎ蓋２３の内面に設けられたフック面ファスナ部材２４、ケース本体２１の前面に設けられたフック面ファスナ２４と係着して底塞ぎ蓋２３の閉じ状態を保持するためのループ面ファスナ部材２５、ケース本体２１の天井部に形成されたループコードロック部材２９が抜けない大きさの上孔部３２、ケース本体２１の背面に設けられた該ケース本体２１との間に胴に巻くための紐、ループコードあるいはベルトなどの胴巻き部材を通し取付けるための胴巻き部材通し部３０を形成するように縫い付けあるいは接着などにより取付けられたループ面ファスナ部材３１とからなるケース２７と、
このケース２７の上部あるいは側面上方に端部を取付けて、ケース２７を首から吊り下げるための首掛けループ２８と、
ループコード付き物品１９と、
ループコード付き物品１９から引き出されたループコード５の筐体２内への引き込みをロックするループコードロック部材２９とからなっている。
【００１６】
物品１３は、該物品１３の背部、前部、側部などから左右にアームやプレートなどの固定部を突出するように設け、この固定部を首掛けループ２８に固定するようにするのがよい。こうすることにより、物品１３が操作中に倒れたりする不用意な動きとなることが無く、安定したコード通孔付き品物Ｋの特に持ち上げ操作を良好なものにできる。
【００１７】
ループコードロック部材２９は、一般的に使用されているループコードを通し、付勢力の与えられた押し込みボタン３０を該付勢力に抗して押し込むとロックが解除されて、ループコードをあるいはループコードロック部材を移動自在とでき、押し込みボタン３０を解放すると押し込みボタン３０が付勢力により押し出し動作をして通されているループコードを挟みロックして、移動ができないロック状態とするものである。
ループコード付き物品１９の付勢巻取り力は、コード通孔付き品物Ｋの重量を吊り保持できない弱い巻取り付勢力であり、ロックするループコードロック部材２９のロックを解除し底開口部２２を開いた状態、すなわち、コード通孔付き品物Ｋの自重がループコード５に全てかかる状態においては、コード通孔付き品物Ｋはその自重により自然・自動的に速やかに下降するものである。
したがって、下降した状態でループコードロック部材２９を解放してループコード５をロック状態とすることにより、下降した状態にコード通孔付き品物Ｋを保持して、ループコード５に邪魔されることなくコード通孔付き品物Ｋを手に持って快適に操作することができる。
【００１８】
コード通孔付き品物Ｋのケース２７への収納は、ループコードロック部材２９を一方の指で摘み押し込みボタン３０を押し込んでロックを解除した状態としコード通孔付き品物Ｋの底に他方の手を沿えるようにして持ち上げ収納し、ループコードロック部材２９をロック状態にして底塞ぎ蓋２３を閉じ、ループコードロック部材２９のロックを解除してコード通孔付き品物Ｋを底塞ぎ蓋２３に載り支持されるまで下降させる。
下降したコード通孔付き品物Ｋの収納は、自動付勢巻取りされるループコード５によってケース２７内にスムーズに案内されるので、収納操作が簡単で快適である。
ケース２７への収納中のコード通孔付き品物Ｋは底塞ぎ蓋２３に載り支持されるので、ループコード５には大きな荷重がかからないので、ループコード５の磨耗が生じず長寿命化を実現する。
ケース２７背面の胴巻き部材通し部３０に紐などの胴巻き部材を通し、胴に巻き付けることにより、ケース２７が振れない状態に保持し、よって、ケース２７に収納されているコード通孔付き品物Ｋも歩行動作や前かがみになっても振れない状態として携行性を良いものにできる。
また、ワイシャツなどの前立て部を有する着衣では、前立て部にフック面ファスナ部材を有するクリプを装着し、あるいは安全ピンを備えた面ファスナ部材を装着して、ループ面ファスナ部材３１を着衣側に保持させて、ケース２７が振れない状態に保持し、よって、ケース２７に収納されているコード通孔付き品物Ｋも歩行動作や前かがみになっても振れない状態として携行性を良いものにできる。
【００１９】
＜第３の実施の形態＞
図５に示す本発明の第３の実施の形態において前記第１の実施の形態と主に異なる点は、ケース２の背部あるいは上部から立ち上がるように首掛けループ２８を潜らし通して下端を結束（結束部４２）して該ケース２を吊り状態とする首掛けループ取付部３５を設け、ケース２の下部にループコード５の一方の側と他方の側を分けて引き出すための引き出し口３６、３７を設け、該引き出し口３６、３７の間に「く」の字形態に曲がったような形態のループコード受け部３８を突出設けてなるループコード付き物品３９を形成した点にある。
ループコード受け部３８と筐体２との間には凹み部４０が形成され、該凹み部４０を通るループコード５の一方のループコードと凹み部４０との間には隙間が形成されて、指ないし爪でループコードを摘むことができるようになっている。
【００２０】
＜第４の実施の形態＞
図６、図７に示す本発明の第４の実施の形態において前記第３の実施の形態と主に異なる点は、筐体２の巻取り体４から外れた部位に、ループコード５を付勢挟持してロックするロック機構部４５を設けるためのロック機構を設ける部位４６を形成し、このロック機構を設ける部位４６の表面あるいは裏面に開口部４７を設け、この開口部４７から頭部が突出され、該開口部４７内に頭部が位置されあるいは該開口部４７より内側に頭部が位置されてなる、摘んだ指によって押し込み移動動作をするロックＯＮ・ＯＦＦボタン４８を設け、前記ロックＯＮ・ＯＦＦボタン４８を押し出し付勢する圧縮コイルバネや弾性ゴム製部材などの押し出し付勢手段４９を設け、前記ロックＯＮ・ＯＦＦボタン４８に前記ループコード５を通すコード通し孔５０を設け、前記ロックＯＮ・ＯＦＦボタン４８の解放状態では前記押し出し付勢手段４９の押し出し付勢力によって該ロックＯＮ・ＯＦＦボタン４８は押し出し付勢状態にあって前記ループコード５を挟みロック状態とし、親指を前記ロック機構を設ける部位４６の裏面に当て人差し指ないし中指を該ロック機構を設ける部位４６の表面に当て摘み状態で、そのいずれかの指で前記ロックＯＮ・ＯＦＦボタン４８を前記押し出し付勢手段４９の押し出し付勢力に抗して押し込み移動させることにより前記ループコード５の前記ロック状態が解除され、該ロックＯＮ・ＯＦＦボタン４８を解放すると該ロック状態となるループコード付き物品５１を形成した点にある。
また、ループコード５にリング部材４３を移動自在に設け、該リング部材４３にコード４４を取り付け、該コード４４にストッパー部材８を取り付けた構成を採用している。
コード４４を潜らせループ６が引っ張ってロックして取り付け状態が固定されるのでるが、コード４４がコード通し孔７に引き込まれない太さである場合は取り外しが容易であり、コード４４がコード通し孔７に引き込まれる太さである場合はロック状態が解除されがたい状態となる。よって、頻繁に取り付け取り外しを行う使用ではコード４４がコード通し孔７に引き込まれない太さとするのがよい。
リング部材４３は着脱ができるように、ナス環、丸環などと呼ばれる開閉開口を有するものとするのもよい。
【００２１】
ロック機構部４５は、可動可能に設けられた１通の通し孔形態である可動側ループコード通し部５３を有する有天井開口底部の円筒形態のロックＯＮ・ＯＦＦボタン４８と、ロックＯＮ・ＯＦＦボタン案内部５２の上部に下部が当てられ且つロックＯＮ・ＯＦＦボタン４８の内天井部位に上部が当てられて該ロックＯＮ・ＯＦＦボタン４８を付勢押し出し状態とする押し出し付勢手段４９とからなり、指で摘みロックＯＮ・ＯＦＦボタン４８を押し出し付勢手段４９の押し出し付勢力に抗して押し込み可動させるとコード通し孔５０と可動側ループコード通し部５３が重なり状態となって一本の貫通したループコード通し孔を形成するようになっている。
ロックＯＮ・ＯＦＦボタン４８の側面には嵌合突起（図示せず省略）が形成され、ロック機構を設ける部位４６の内壁面に形成された嵌合溝（図示せず省略）に嵌合して、ロックＯＮ・ＯＦＦボタン４８は可動するがロック機構を設ける部位４６からは所定の位置で止められ抜けないようなっている。
ロック機構を設ける部位４６の下部にはコード通し孔５０を通ったループコード５を外に抜くためのループコード抜き部５４と、抜いたループコード５がそれ以上引き込まれないように止めるループコード止め部５５が形成されている。
これにより、ループコード５のループ状態のまま筐体外に引き出し、かつ、巻き戻るのを止めることができる構成を実現している。
ループコード抜き部５４はループコード５を抜き取ったあとは、チップなどを嵌め込み接着するなどして塞いでしまい、ループコード５が入ることができないようにする。
ループコード５を挟みロック状態とする構成であるので、どの好みの位置でもコード通孔付き品物Ｋを正確止めることができ、かつ、最終巻取り状態においてもループコードを最大限巻取り状態とすることができる。
また、ロック状態においてコード通孔付き品物Ｋの急なあるいは予期せぬ不要な引っ張りが生じても、ループコードはロック状態のまま引っ張り引き出され移動するので、ロック機構が破損する、あるいは人が引っ張られて転倒などをしてしまう危険が緩衝されるという安全性を実現する。
【００２２】
＜第５の実施の形態＞
図８に示す本発明の第５の実施の形態において、５５はループコード付き物品であって、このループコード付き物品５５は、筐体２と、この筐体２内に回転自在に設けられ且つ駆動バネ３（図３参照）により巻取り方向に付勢巻取り回転をする巻取り体４（図３参照）と、この巻取り体４に付勢巻き取られる１本のコード５６と、このコード５６の前記筐体２の外に引き出された部位に設けられた、ループ形成部材本体５７、このループ形成部材本体５７に設けられたコード５６を移動自在に通すコード通し孔５８ａ、５８ｂとからなるループ形成部材５９と、このループ形成部材５９の前記コード通し孔５８ｂからコード通し孔５８ｂに前記コード５６を通し、そのコード５６の先端側を該ループ形成部材５９から抜けないようにストッパー部材８を取り付けることによって形成してなるループコード５とからなっている。
携帯電話、デジタルカメラなどのコード通孔付き品物Ｋに設けられたコード通し孔７にループコード５を通して潜らせループ６を形成して、ストッパー部材８を該潜らせループ６に潜らせ（図８の中図）、コード５６を引いて潜らせループ６を萎ませ締めて取り付け状態をロック状態とするもので、前記第２の実施の形態のものとそのロック取り付け態様は略同様である。
【００２３】
＜第６の実施の形態＞
図９に示す本発明の第６の実施の形態において前記第５の実施の形態と主に異なる点は、ループコード５を形成する異なる形態を示したものである。
図（ａ）は、ループ形成部材をメガネリング形態のループ形成部材６３とし、ループコード通し孔６４、６５と通したコード５６の先端に抜け防止となるストッパー部材８を設け、ループコード５を形成した点にある。
図（ｂ）は、ループ形成部材を二つの金属製円筒部材を一体化した形態のループ形成部材６８とし、ループコード通し孔６９、７０と通したコード５６のループコード通し孔７０側をカシメ圧着したストッパー部材状態とし、ループコード５を形成した点にある。
図（ｃ）は、ループ形成部材をコード５６を通すリング形態のループコード通し孔７２、このループコード通し孔７２と一体的に設けられたコード５６の先端を噛み挟持するエンド部材７３とからなるループ形成部材７４とし、コード５６をループコード通し孔７２を通しその先端をエンド部材７３で噛みロック状態として、ループコード５を形成し、ループコード５の一部を合わせてそこにストパー部材８を固定取り付けた点にある。
図（ｄ）は、コード５６の先端を曲げて形成してなる小輪形態のループ形成部材７５を形成し、このループ形成部材７４にコード５６が通されることによりループコード５を形成し、ループコード５の一部を合わせてそこにストパー部材８を固定取り付けた点にある。
【００２４】
＜第７の実施の形態＞
図１０、図１１、図１２に示す本発明を実施するための最良の形態である第７の実施の形態において８１はループコード付き物品であって、このループコード付き物品８１は、携帯電話、携帯カメラ、音楽プレイヤー、携帯無線機、携帯警報機、肩掛けバック、手提げカバン、置物、展示品などのコード通孔付き品物Ｋに設けられたコード通し孔７、このコード通し孔７に通して該コード通孔付き品物Ｋにハンドストラップ、ネックストラップ、飾り、財布、アクセント品、キャラクター品、値札、ネームプレートなどの物品１００（図では円板ないしボール形態のものであるが、人形でも玩具でもなんでもよい）を取付けるための該物品１００にループコード５を有するループコード付き物品であって、
物品１００と、この物品１００に取付けられた、前記コード通し孔７が折れ曲がっていてその内壁に当り擦れても、崩れることなく通される適宜なしなやかさと硬さを有するループコード５と、
このループコード５に一部を合わせ取り付け固定してなるコード通し取付け孔７を通らない大きさのストッパー部材８とからなるとともに、
前記ループコード５のループを形成する適宜なコード部位を折合わせた２本コード状態にして前記コード通し取付け孔７に通し、通り抜けた部分を広げてストッパー潜らせループ６を形成し、このストッパー潜らせループ６に前記ストッパー部材８を潜らせ、該ループコード５を引いて該ストッパー潜らせループ６を縮め締め（萎めて）て、縮め締めた該ストッパー潜らせループ６から該ストッパー部材８が抜けないようにして、よって、コード通孔付き品物Ｋに該ループコード５を直接的に取付けるようにしてなるものである。
潜らせループ６はストッパー部材８につながるループコード５の２本を締めコード通し孔７に引き込む、ループコードがコード通し孔７に入らない場合はコード通し孔７口で締めた状態で取り付け完了とするものである。
【００２５】
図１２に示す本発明を実施するための最良の形態において、その他の実施例を示す。
図１２（ａ）のループコード付き物品は、ハンドベルトからなる物品１００ａにループコード５を設け、該ループコード５にストッパー部材８（コード通し孔付き）を移動自在に設けたものである。
図１２（ｂ）のループコード付き物品は、四角体からなる物品１００ｂにループコード５を設け、該ループコード５の一部をまとめ合わせてストッパー部材８を固定形態で設けてなるものである。
図１２（ｃ）のループコード付き物品は、四角板材からなる物品１００ｃにループコード５を設け、該ループコード５に移動自在にリング部材４３にストッパー部材８を設けたコード４４を取り付けてなるものを設けたものである。
物品１００ａ、１００ｂ、１００ｃはストッパー部材８を潜らない大きさである。
【００２６】
＜第８の実施の形態＞
図１３に示す本発明を実施するための最良の形態である第８の実施の形態において前記第１の実施の形態と主に異なる点は、ストッパー部材をループコード５にコード通し取付け孔７を通らない大きさの開閉部付き環部材からなるストパー部材８６としてなるループコード付き物品８１を形成した点にある。
ストパー部材８６は開閉口８５を開閉する開閉部８８が設けられ、開閉部８８を開いて潜らせループ６を入れ閉じて外れないようにする（潜らせループ６にストッパー部材８６の一部を潜らせた状態）。いわゆる潜らせループ６を外れないように係止してコード通孔を有する品物Ｋに取付けるとともに、開閉部８８を開いて簡単で素早く潜らせループ６を外してコード通孔を有する品物Ｋから取り外すことができる、取付けコード５６を素早く簡単に着脱自在とするストパー部材として機能するようになっている。
開閉部付き環部材には通称、ナス環、丸環と呼ばれているもの、弾性力により端部と端部が付勢重なって開閉部を形成して指で摘み押しつぶし操作により口が開くようにしてなるものなど多様な形態がある。
【産業上の利用可能性】
【００２７】
本発明は主に携行グッズを製造する産業で利用される。
【符号の説明】
【００２８】
１：ループコード付き物品、
２：筐体、
３：駆動バネ、
４：巻取り体、
５：ループコード、
６：潜らせループ、
７：コード通し孔、
８：ストッパー部材、
１０：筐体形成部材、
１１：貫通筒部、
１２ａ、１２ｂ：コード引出口、
１３：物品、
１４：ロックＯＮ・ＯＦＦボタン、
１５：ロック板、
１６：ロック体、
１７：圧縮コイルバネ、
１８：裏板、
１９：ループコード付き物品、
２０：コード通孔付き品物Ｋの携行補助具、
２１：ケース本体、
２２：底開口部、
２３：底塞ぎ蓋、
２４：フック面ファスナ部材、
２５：ループ面ファスナ部材、
２６：上孔部、
２７：ケース、
２８：首掛けループ、
２９：ループコードロック部材、
３０：胴巻き部材通し部、
３１：ループ面ファスナ部材、
３２：上孔部、
３５：首掛けループ取付部、
３６：引き出し口、
３７：引き出し口、
３８：ループコード受け部、
３９：ループコード付き物品、
４０：凹み部、
４２：結束部、
４３：リング部材、
４４：コード、
４５：ロック機構部、
４６：ロック機構を設ける部位、
４７：開口部、
４８：ロックＯＮ・ＯＦＦボタン、
４９：押し出し付勢手段、
５０：コード通し孔、
５１：ループコード付き物品、
５２：ロックＯＮ・ＯＦＦボタン案内部、
５３：可動側ループコード通し部、
５５：ループコード付き物品、
５６：コード、
５７：ループ形成部材本体、
５８ａ、５８ｂ：コード通し孔、
５９：ループ形成部材、
６３：ループ形成部材、
６４：ループコード通し孔、
６５：ループコード通し孔、
６６：ストッパー部材、
６７：ストッパー部材、
６８：ループ形成部材、
６９：ループコード通し孔、
７０：ループコード通し孔、
７２：ループコード通し孔、
７３：エンド部材、
７４：ループ形成部材、
７５：ループ形成部材、
８１：ループコード付き物品、
８５：開閉口、
８６：ストパー部材、
８８：開閉部、
１００、１００ａ、１００ｂ、１００ｃ：物品。
【図１】
2010227299.tif 000003
【図２】
2010227299.tif 000004
【図３】
2010227299.tif 000005
【図４】
2010227299.tif 000006
【図５】
2010227299.tif 000007
【図６】
2010227299.tif 000008
【図７】
2010227299.tif 000009
【図８】
2010227299.tif 000010
【図９】
2010227299.tif 000011
【図１０】
2010227299.tif 000012
【図１１】
2010227299.tif 000013
【図１２】
2010227299.tif 000014
【図１３】
2010227299.tif 000015
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
コード通し孔を有する携帯電話、携帯カメラ、音楽プレイヤー、携帯無線機、携帯警報機、肩掛けバック、手提げカバン、置物、展示品などのコード通孔付き品物Ｋ、物品と、該物品に一方の側を取り付け備えられた前記コード通し孔に通して取り付けられるループコードとからなるループコード付き物品であって、
前記ループコードの他方の側の前記物品から離れた位置に直接的に設けられたあるいは他の部材を介して間接的に設けられた前記コード通し孔を通らない形態のストッパー部材を設けてなるとともに、前記ループコードを前記コード通し孔に通してその通された部分によって潜らせループを形成し、該潜らせループに前記物品は潜らせないで前記ストッパー部材の全部をあるいは一部を潜らせた状態にして、前記物品あるいは前記ループコードを前記潜らせループを締めるように引いて該ストッパー部材が外れないようにロックすることによって、前記品物Ｋにループコードを取り付けるようにしたことを特徴とするループコード付き物品。
【請求項２】
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品。
【手続補正２】
【補正対象書類名】明細書
【補正対象項目名】全文
【補正方法】変更
【補正の内容】
【発明の詳細な説明】
【技術分野】
【０００１】
本発明は、コード通孔を有する携帯電話、携帯カメラ、携帯カメラ、音楽プレイヤー、携帯無線機、携帯警報機、肩掛けバック、手提げカバン、置物、展示品などのコード通し孔付き品物に取付けて使用する、あるいは該コード通孔付き品物Ｋを取付けて使用するループコード付き物品に関する。
【背景技術】
【０００２】
従来の取り付けコード付き物品は、物品に取付けられた松葉、ヘビロなどと呼ばれるループコードをコード通孔付き品物Ｋの２ｍｍ〜４ｍｍ程度のコード通し孔に通して物品潜らせループを形成し、この物品潜らせループに該物品を潜らせて引き操作して物品潜らせループを萎めることによって、コード通孔付き品物Ｋにループコード付き物品を取付けるものである。（例えば特許文献１）
【先行技術文献】
【特許文献】
【０００３】
【特許文献１】特開2006-247083号公報
【非特許文献】
【０００４】
【非特許文献１】特になし
【発明の開示】
【発明が解決しようとする課題】
【０００５】
上述した特許文献１のものは、紐（７）（松葉、ヘビロ）はコード通し孔に通された状態で、チューブ（１）（物品）を潜り通すことができる大きさの物品潜らせループを形成する長さとしたければならないという欠点を有するものであり、それにより例えば物品の大きさが制限されてしまうのであった。
また、取り外す場合は必ず物品潜らせループを指で摘み広げて、物品を潜らせ外さなければならないという煩雑な取り外し操作をしなければならないという欠点を有するものであった。
【０００６】
本発明は以上のような従来技術の欠点に鑑み、ループコードによって物品の大きさや長さが規制されることがないとともに、物品潜らせループに物品を潜らせること無くコード通孔付き品物Ｋへの取り付け取り外しが簡単に行うことを可能としたループコード付き物品を提供するにある。
【０００７】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００８】
上記目的を達成するために、本発明は次のような構成となっている。
＜請求項１記載の発明＞
コード通し孔を有する携帯電話、携帯カメラ、音楽プレイヤー、携帯無線機、携帯警報機、肩掛けバック、手提げカバン、置物、展示品などのコード通孔付き品物Ｋ、物品と、該物品に一方の側を取り付け備えられた前記コード通し孔に通して取り付けられるループコードとからなるループコード付き物品であって、
前記ループコードの他方の側の前記物品から離れた位置に直接的に設けられたあるいは他の部材を介して間接的に設けられた前記コード通し孔を通らない形態のストッパー部材を設けてなるとともに、前記ループコードを前記コード通し孔に通してその通された部分によって潜らせループを形成し、該潜らせループに前記物品は潜らせないで前記ストッパー部材の全部をあるいは一部を潜らせた状態にして、前記物品あるいは前記ループコードを前記潜らせループを締めるように引いて該ストッパー部材が外れないようにロックすることによって、前記品物Ｋにループコードを取り付けるようにしたことを特徴とするループコード付き物品品である。
＜請求項２記載の発明＞
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品である。
【発明の効果】
【０００９】
以上の説明から明らかなように、本発明にあっては次に列挙する効果が得られる。
＜請求項１記載の発明の効果＞
コード通し孔を有する携帯電話、携帯カメラ、音楽プレイヤー、携帯無線機、携帯警報機、肩掛けバック、手提げカバン、置物、展示品などのコード通孔付き品物Ｋ、物品と、該物品に一方の側を取り付け備えられた前記コード通し孔に通して取り付けられるループコードとからなるループコード付き物品であって、
前記ループコードの他方の側の前記物品から離れた位置に直接的に設けられたあるいは他の部材を介して間接的に設けられた前記コード通し孔を通らない形態のストッパー部材を設けてなるとともに、前記ループコードを前記コード通し孔に通してその通された部分によって潜らせループを形成し、該潜らせループに前記物品は潜らせないで前記ストッパー部材の全部をあるいは一部を潜らせた状態にして、前記物品あるいは前記ループコードを前記潜らせループを締めるように引いて該ストッパー部材が外れないようにロックすることによって、前記品物Ｋにループコードを取り付けるようにしたことを特徴とするループコード付き物品であるので、
ループコードをコード通し穴に通し形成して潜らせループに物品を潜らせること無く、ループコードに設けたストッパー部材を該潜らせループに潜らせるというループコードの先端側操作だけで取付け取り外しができるとう効果を奏する。よって、ループコードを潜らない大きさの大きな物品を有するループコード付き物品を実現するものである。
＜請求項２記載の発明の効果＞
物品がコードを筐体内に巻取るコード巻取り装置であって、該コードがループコードであって、前記筐体内にコード引出口が二つ設けられ、前記ループコードの一方のコード側が前記コード引出口の一方のコード引出口を通され、前記ループコードの他方のコード側が前記コード引出口の他方のコード引出口を通されてなることを特徴とする請求項１記載のループコード付き物品であるので、
請求項１記載の発明と同様な効果を奏するとともに、ループコードを筐体に全て巻き取る形態のコード巻取り装置の場合、筐体とコード通し孔付き品物（携帯電話、携帯カメラなど）との間に着脱パーツや松葉などの他の連結手段を介在させないで、ループコードそのものがコード通し孔付き品物に取り付けられるので、ループコードの全巻取り状態にあっては、コード巻取り装置とコード通し孔付き品物が離れていない形態を実現するという効果を奏する。これによって、例えば、図４（第２の実施の形態）に示すような首から提げケースにコード付勢巻取り装置に吊った携帯電話を収納するような使用においては、底開口部から引き出したループコードにその先端操作だけで携帯品（コード通し孔付き品物）を取り付けたり外したりすることが自在に行えるとともに、ループコードの全巻取り状態にあっては携帯品（コード通し孔付き品物）をケース天井に近接ないし当接する部位まで上げて支持することを可能とするので、携帯品を全部収納する場合のケースにおいてはその長さを最小長さのものにできる。（従来のように巻取りコードの先端に着脱パーツや松葉などの連結手段を設けた形態においては、連結手段の分だけケースを長くしなければならない。）
また、にコード引出口が二つ設けられて、ループコードの一対のコード部分が分けられて引き出され引き込みされる構成であるので、コードが撚れた場合はすぐに撚れたことがわかるという効果を奏する。よって、撚れを直して常に撚れない使用を可能とするものである。
【図面の簡単な説明】
【００１０】
【図１】本発明の第１の実施の形態の正面図およびコード通孔付き品物Ｋへの取付け手順図。
【図２】本発明の第１の実施の形態のロック状態でのコード通孔付き品物Ｋの停止位置例図。
【図３】本発明の第１の実施の形態のロック状態の断面図およびロック解除状態の断面図。
【図４】本発明の第２の実施の形態のケースにコード通孔付き品物Ｋを収納した状態の正面図およびコード通孔付き品物Ｋをケースから出し下降させた状態の側面図。
【図５】本発明の第３の実施の形態の正面図およびコード通孔付き品物Ｋを取付け下降させた状態例の正面図。
【図６】本発明の第４の実施の形態の正面図およびコード通孔付き品物Ｋを取付け下降させた状態例の正面図。
【図７】本発明の第４の実施の形態のロック機構部の断面図。
【図８】本発明の第５の実施の形態の小さいループ状態の正面図、大きいループ状態の正面図、コード通孔付き品物Ｋを取付けた状態で該コード通孔付き品物Ｋを筐体に接近させた状態の正面図。
【図９】本発明の第６の実施の形態の物品の他の形態を示す斜視図。
【図１０】本発明の最良の実施の形態である第７の実施の形態の正面図、ループにストッパー部材を潜らせた状態図、取付け完了図。
【図１１】本発明の最良の実施の形態である第７の実施の形態の取付け手順図。
【図１２】本発明の最良の実施の形態である第７の実施の形態の複数の異なる例を示す図。
【図１３】本発明の最良の実施の形態である第８の実施の形態の取付け手順図。
【発明を実施するための最良の形態】
【００１１】
以下、図面に示す本発明の形態を詳細に説明する。但し、それらのみに本発明を限定する趣旨のものではない。
【００１２】
＜第１の実施の形態＞
図１ないし図３に示す本発明の第１の実施の形態において、１はループコード付き物品からなるループコード付き物品であって、このループコード付き物品１は、
コード引出口１２ａ、１２ｂを側面に有する筐体２、この筐体２内に回転自在に設けられ且つ駆動バネ３により巻取り方向に付勢巻取り回転をする巻取り体４、コード引出口１２ａ、１２ｂを通され巻取り体４に一対形態で付勢巻き取られるとともに、引き出され筐体２の外でループを形成するループコード５、筐体５、巻取り体４からなる物品１３と、
ループコード５に移動自在に設けられたストッパー部材８とからなるものである。
コード通し孔７を有する携帯電話、携帯カメラ、音楽プレイヤー、携帯無線機、携帯警報機、肩掛けバック、手提げカバン、置物、展示品などのコード通孔付き品物Ｋに取り付ける使用は、
ループコード５のループを形成する一本のコード部位を折り合わせられた２本コード状態にしてコード通し孔７に通して潜らせループ６を形成し（図１の＜ｂ＞）、
潜らせループ６にストッパー部材８を潜らせた状態にして（図１の＜ｃ＞）、
物品１３あるいはループコード５を潜らせループ６を萎めるように引いてストッパー部材８が外れないようにロックすることによって取り付ける。
ループコード５の全体あるいは少なくとも先端側の適宜な長さが（本実施例では全体）、携帯電話、デジタルカメラなどのコード通孔付き品物Ｋに設けられたコード通し孔７に先端を折り合わせてループ状態で通すことができる太さであるとともに、コード通し孔７が折れ曲がっていてその内壁に当り擦れても、崩れることなく通される適宜なしなやかさと硬さを有するものであり、かつ、ループコード５先端が筐体２に当り引き込み動作が止められた最終巻取り状態となっても前記巻取り体４を巻取り回転させようとする巻取り回転付勢力を有してなる（巻取り回転付勢力が残っている状態）ことを特徴とするものである。
ループコード５は引き出し口１２ａ、１２ｂの間にある壁によって筐体２内に引き込まれるのが阻止される。
ループコードの太さが直径０．９ｍｍ以下とするのがよい。一般的な松葉紐の太さは０．７ｍｍ〜０．８ｍｍ程度である。
ストッパー部材８の形態は、球体、角体、錐体、板体、棒体、ハート、星、キャラクター、マーク、ロゴなど多様な形態がある。
【００１３】
図３に示すように筐体２の内部構造およびロック機構は次のような構成となっている。
裏側が全面開口された筐体形成部材１０と、
この筐体形成部材１０の表板の中心に設けられた貫通筒部１１と、
この貫通筒部１１に内端を固定して設けられた発条である駆動バネ３と、
この駆動バネ３を内側にしてその外端を固定させて該駆動バネ３の巻取り不勢力により付勢巻取り回転する巻取り体４と、
この巻取り体４に重ね状態で巻取られたループコード５と、
筐体形成部材１０の側面に設けられたループコード５が引き出されている引き出し口（図示せず）と、
貫通筒部１１に筐体２を摘んだ指で押し込み可動可能に入れられた中空形態のロックＯＮ・ＯＦＦボタン１４、このロックＯＮ・ＯＦＦボタン１４の背部に貫通筒部１１と一体的に設けられた広鍔形態の巻取り体４に当接してその付勢回転を止めるロック板１５とからなるロック体１６と、
ロックＯＮ・ＯＦＦボタン１４の内部に設けられた押し出し付勢手段である圧縮コイルバネ１７と、
筐体形成部材１０の裏側開口をネジによる締め付け固定、接着、融着あるいは溶着などにより塞ぐ裏板１８と、とからなっている。
筐体２を指で摘み、その指でロックＯＮ・ＯＦＦボタン１４を押し込むと圧縮コイルバネ１７の付勢力に抗して巻取り体４に付勢当接していたロック板１５が移動して巻取り体４から離れロック状態が解除される。ロックＯＮ・ＯＦＦボタン１４を押し込んだ状態のまま移動操作（ループロール６の引き出し引き込み操作）を自在に行うことができる。ロックＯＮ・ＯＦＦボタン１４を解放すると圧縮コイルバネ１７の押し出し付勢力によりロック板１５が巻取り体４に付勢当接して駆動バネ３による付勢巻取り回転を止めロックする。
すなわち、ループコード５を出入両方向に対してロックするための、巻取り体４をロックするロック機構を設け、このロック機構を構成する部位である指で押し込みロック解除を行うためのロックＯＮ・ＯＦＦボタン１４が筐体２の表側あるいは裏側に設けられ、主に親指を裏側に当て人差し指ないし中指を表側に当てた摘み状態で、そのいずれかの指で前記ロックＯＮ・ＯＦＦボタン１４を押し込み移動させることにより前記ロック状態を解除し、該ロックＯＮ・ＯＦＦボタン１４を解放すると該ロック状態となる。
コード通孔付き品物Ｋにループコード５の最終巻取り状態では、取付けたコード通孔付き品物Ｋとループコード付き物品１の筐体２との距離を略接した状態あるいは近傍した状態（図２の＜ｇ＞図）にでき、かつ、コード通孔付き品物Ｋを筐体から遠ざける（移動させる）ことのできる（図２の＜ｆ＞図）。
【００１４】
次に、異なる実施の形態について説明する。なお、これら異なる実施の形態の説明に当たって、前述してある実施の形態と同一構成部分には同一符号を付して重複する説明を省略する。
【００１５】
＜第２の実施の形態＞
図４に示す本発明の第２の実施の形態において前記第１の実施の形態と主に異なる点は、ループコード付き物品１のロック機構部を有さない形態としたループコード付き物品１９を使用して、携帯電話あるいは携帯カメラなどのコード通孔付き品物Ｋを首から提げて携行するための、コード通孔付き品物Ｋの携行補助具２０を形成した点にある。
コード通孔付き品物Ｋの携行補助具２０は、ケース本体２１、このケース本体２１の底開口部２２、この底開口部２２を開閉するケース本体２１の背面壁から垂れ下がるように設けられた片形態の底塞ぎ蓋２３、この底塞ぎ蓋２３の内面に設けられたフック面ファスナ部材２４、ケース本体２１の前面に設けられたフック面ファスナ２４と係着して底塞ぎ蓋２３の閉じ状態を保持するためのループ面ファスナ部材２５、ケース本体２１の天井部に形成されたループコードロック部材２９が抜けない大きさの上孔部３２、ケース本体２１の背面に設けられた該ケース本体２１との間に胴に巻くための紐、ループコードあるいはベルトなどの胴巻き部材を通し取付けるための胴巻き部材通し部３０を形成するように縫い付けあるいは接着などにより取付けられたループ面ファスナ部材３１とからなるケース２７と、
このケース２７の上部あるいは側面上方に端部を取付けて、ケース２７を首から吊り下げるための首掛けループ２８と、
ループコード付き物品１９と、
ループコード付き物品１９から引き出されたループコード５の筐体２内への引き込みをロックするループコードロック部材２９とからなっている。
【００１６】
物品１３は、該物品１３の背部、前部、側部などから左右にアームやプレートなどの固定部を突出するように設け、この固定部を首掛けループ２８に固定するようにするのがよい。こうすることにより、物品１３が操作中に倒れたりする不用意な動きとなることが無く、安定したコード通孔付き品物Ｋの特に持ち上げ操作を良好なものにできる。
【００１７】
ループコードロック部材２９は、一般的に使用されているループコードを通し、付勢力の与えられた押し込みボタン３０を該付勢力に抗して押し込むとロックが解除されて、ループコードをあるいはループコードロック部材を移動自在とでき、押し込みボタン３０を解放すると押し込みボタン３０が付勢力により押し出し動作をして通されているループコードを挟みロックして、移動ができないロック状態とするものである。
ループコード付き物品１９の付勢巻取り力は、コード通孔付き品物Ｋの重量を吊り保持できない弱い巻取り付勢力であり、ロックするループコードロック部材２９のロックを解除し底開口部２２を開いた状態、すなわち、コード通孔付き品物Ｋの自重がループコード５に全てかかる状態においては、コード通孔付き品物Ｋはその自重により自然・自動的に速やかに下降するものである。
したがって、下降した状態でループコードロック部材２９を解放してループコード５をロック状態とすることにより、下降した状態にコード通孔付き品物Ｋを保持して、ループコード５に邪魔されることなくコード通孔付き品物Ｋを手に持って快適に操作することができる。
【００１８】
コード通孔付き品物Ｋのケース２７への収納は、ループコードロック部材２９を一方の指で摘み押し込みボタン３０を押し込んでロックを解除した状態としコード通孔付き品物Ｋの底に他方の手を沿えるようにして持ち上げ収納し、ループコードロック部材２９をロック状態にして底塞ぎ蓋２３を閉じ、ループコードロック部材２９のロックを解除してコード通孔付き品物Ｋを底塞ぎ蓋２３に載り支持されるまで下降させる。
下降したコード通孔付き品物Ｋの収納は、自動付勢巻取りされるループコード５によってケース２７内にスムーズに案内されるので、収納操作が簡単で快適である。
ケース２７への収納中のコード通孔付き品物Ｋは底塞ぎ蓋２３に載り支持されるので、ループコード５には大きな荷重がかからないので、ループコード５の磨耗が生じず長寿命化を実現する。
ケース２７背面の胴巻き部材通し部３０に紐などの胴巻き部材を通し、胴に巻き付けることにより、ケース２７が振れない状態に保持し、よって、ケース２７に収納されているコード通孔付き品物Ｋも歩行動作や前かがみになっても振れない状態として携行性を良いものにできる。
また、ワイシャツなどの前立て部を有する着衣では、前立て部にフック面ファスナ部材を有するクリプを装着し、あるいは安全ピンを備えた面ファスナ部材を装着して、ループ面ファスナ部材３１を着衣側に保持させて、ケース２７が振れない状態に保持し、よって、ケース２７に収納されているコード通孔付き品物Ｋも歩行動作や前かがみになっても振れない状態として携行性を良いものにできる。
【００１９】
＜第３の実施の形態＞
図５に示す本発明の第３の実施の形態において前記第１の実施の形態と主に異なる点は、ケース２の背部あるいは上部から立ち上がるように首掛けループ２８を潜らし通して下端を結束（結束部４２）して該ケース２を吊り状態とする首掛けループ取付部３５を設け、ケース２の下部にループコード５の一方の側と他方の側を分けて引き出すための引き出し口３６、３７を設け、該引き出し口３６、３７の間に「く」の字形態に曲がったような形態のループコード受け部３８を突出設けてなるループコード付き物品３９を形成した点にある。
ループコード受け部３８と筐体２との間には凹み部４０が形成され、該凹み部４０を通るループコード５の一方のループコードと凹み部４０との間には隙間が形成されて、指ないし爪でループコードを摘むことができるようになっている。
【００２０】
＜第４の実施の形態＞
図６、図７に示す本発明の第４の実施の形態において前記第３の実施の形態と主に異なる点は、筐体２の巻取り体４から外れた部位に、ループコード５を付勢挟持してロックするロック機構部４５を設けるためのロック機構を設ける部位４６を形成し、このロック機構を設ける部位４６の表面あるいは裏面に開口部４７を設け、この開口部４７から頭部が突出され、該開口部４７内に頭部が位置されあるいは該開口部４７より内側に頭部が位置されてなる、摘んだ指によって押し込み移動動作をするロックＯＮ・ＯＦＦボタン４８を設け、前記ロックＯＮ・ＯＦＦボタン４８を押し出し付勢する圧縮コイルバネや弾性ゴム製部材などの押し出し付勢手段４９を設け、前記ロックＯＮ・ＯＦＦボタン４８に前記ループコード５を通すコード通し孔５０を設け、前記ロックＯＮ・ＯＦＦボタン４８の解放状態では前記押し出し付勢手段４９の押し出し付勢力によって該ロックＯＮ・ＯＦＦボタン４８は押し出し付勢状態にあって前記ループコード５を挟みロック状態とし、親指を前記ロック機構を設ける部位４６の裏面に当て人差し指ないし中指を該ロック機構を設ける部位４６の表面に当て摘み状態で、そのいずれかの指で前記ロックＯＮ・ＯＦＦボタン４８を前記押し出し付勢手段４９の押し出し付勢力に抗して押し込み移動させることにより前記ループコード５の前記ロック状態が解除され、該ロックＯＮ・ＯＦＦボタン４８を解放すると該ロック状態となるループコード付き物品５１を形成した点にある。
また、ループコード５にリング部材４３を移動自在に設け、該リング部材４３にコード４４を取り付け、該コード４４にストッパー部材８を取り付けた構成を採用している。
コード４４を潜らせループ６が引っ張ってロックして取り付け状態が固定されるのでるが、コード４４がコード通し孔７に引き込まれない太さである場合は取り外しが容易であり、コード４４がコード通し孔７に引き込まれる太さである場合はロック状態が解除されがたい状態となる。よって、頻繁に取り付け取り外しを行う使用ではコード４４がコード通し孔７に引き込まれない太さとするのがよい。
リング部材４３は着脱ができるように、ナス環、丸環などと呼ばれる開閉開口を有するものとするのもよい。
【００２１】
ロック機構部４５は、可動可能に設けられた１通の通し孔形態である可動側ループコード通し部５３を有する有天井開口底部の円筒形態のロックＯＮ・ＯＦＦボタン４８と、ロックＯＮ・ＯＦＦボタン案内部５２の上部に下部が当てられ且つロックＯＮ・ＯＦＦボタン４８の内天井部位に上部が当てられて該ロックＯＮ・ＯＦＦボタン４８を付勢押し出し状態とする押し出し付勢手段４９とからなり、指で摘みロックＯＮ・ＯＦＦボタン４８を押し出し付勢手段４９の押し出し付勢力に抗して押し込み可動させるとコード通し孔５０と可動側ループコード通し部５３が重なり状態となって一本の貫通したループコード通し孔を形成するようになっている。
ロックＯＮ・ＯＦＦボタン４８の側面には嵌合突起（図示せず省略）が形成され、ロック機構を設ける部位４６の内壁面に形成された嵌合溝（図示せず省略）に嵌合して、ロックＯＮ・ＯＦＦボタン４８は可動するがロック機構を設ける部位４６からは所定の位置で止められ抜けないようなっている。
ロック機構を設ける部位４６の下部にはコード通し孔５０を通ったループコード５を外に抜くためのループコード抜き部５４と、抜いたループコード５がそれ以上引き込まれないように止めるループコード止め部５５が形成されている。
これにより、ループコード５のループ状態のまま筐体外に引き出し、かつ、巻き戻るのを止めることができる構成を実現している。
ループコード抜き部５４はループコード５を抜き取ったあとは、チップなどを嵌め込み接着するなどして塞いでしまい、ループコード５が入ることができないようにする。
ループコード５を挟みロック状態とする構成であるので、どの好みの位置でもコード通孔付き品物Ｋを正確止めることができ、かつ、最終巻取り状態においてもループコードを最大限巻取り状態とすることができる。
また、ロック状態においてコード通孔付き品物Ｋの急なあるいは予期せぬ不要な引っ張りが生じても、ループコードはロック状態のまま引っ張り引き出され移動するので、ロック機構が破損する、あるいは人が引っ張られて転倒などをしてしまう危険が緩衝されるという安全性を実現する。
【００２２】
＜第５の実施の形態＞
図８に示す本発明の第５の実施の形態において、５５はループコード付き物品であって、このループコード付き物品５５は、筐体２と、この筐体２内に回転自在に設けられ且つ駆動バネ３（図３参照）により巻取り方向に付勢巻取り回転をする巻取り体４（図３参照）と、この巻取り体４に付勢巻き取られる１本のコード５６と、このコード５６の前記筐体２の外に引き出された部位に設けられた、ループ形成部材本体５７、このループ形成部材本体５７に設けられたコード５６を移動自在に通すコード通し孔５８ａ、５８ｂとからなるループ形成部材５９と、このループ形成部材５９の前記コード通し孔５８ｂからコード通し孔５８ｂに前記コード５６を通し、そのコード５６の先端側を該ループ形成部材５９から抜けないようにストッパー部材８を取り付けることによって形成してなるループコード５とからなっている。
携帯電話、デジタルカメラなどのコード通孔付き品物Ｋに設けられたコード通し孔７にループコード５を通して潜らせループ６を形成して、ストッパー部材８を該潜らせループ６に潜らせ（図８の中図）、コード５６を引いて潜らせループ６を萎ませ締めて取り付け状態をロック状態とするもので、前記第２の実施の形態のものとそのロック取り付け態様は略同様である。
【００２３】
＜第６の実施の形態＞
図９に示す本発明の第６の実施の形態において前記第５の実施の形態と主に異なる点は、ループコード５を形成する異なる形態を示したものである。
図（ａ）は、ループ形成部材をメガネリング形態のループ形成部材６３とし、ループコード通し孔６４、６５と通したコード５６の先端に抜け防止となるストッパー部材８を設け、ループコード５を形成した点にある。
図（ｂ）は、ループ形成部材を二つの金属製円筒部材を一体化した形態のループ形成部材６８とし、ループコード通し孔６９、７０と通したコード５６のループコード通し孔７０側をカシメ圧着したストッパー部材状態とし、ループコード５を形成した点にある。
図（ｃ）は、ループ形成部材をコード５６を通すリング形態のループコード通し孔７２、このループコード通し孔７２と一体的に設けられたコード５６の先端を噛み挟持するエンド部材７３とからなるループ形成部材７４とし、コード５６をループコード通し孔７２を通しその先端をエンド部材７３で噛みロック状態として、ループコード５を形成し、ループコード５の一部を合わせてそこにストパー部材８を固定取り付けた点にある。
図（ｄ）は、コード５６の先端を曲げて形成してなる小輪形態のループ形成部材７５を形成し、このループ形成部材７４にコード５６が通されることによりループコード５を形成し、ループコード５の一部を合わせてそこにストパー部材８を固定取り付けた点にある。
【００２４】
＜第７の実施の形態＞
図１０、図１１、図１２に示す本発明を実施するための最良の形態である第７の実施の形態において８１はループコード付き物品であって、このループコード付き物品８１は、携帯電話、携帯カメラ、音楽プレイヤー、携帯無線機、携帯警報機、肩掛けバック、手提げカバン、置物、展示品などのコード通孔付き品物Ｋに設けられたコード通し孔７、このコード通し孔７に通して該コード通孔付き品物Ｋにハンドストラップ、ネックストラップ、飾り、財布、アクセント品、キャラクター品、値札、ネームプレートなどの物品１００（図では円板ないしボール形態のものであるが、人形でも玩具でもなんでもよい）を取付けるための該物品１００にループコード５を有するループコード付き物品であって、
物品１００と、この物品１００に取付けられた、前記コード通し孔７が折れ曲がっていてその内壁に当り擦れても、崩れることなく通される適宜なしなやかさと硬さを有するループコード５と、
このループコード５に一部を合わせ取り付け固定してなるコード通し取付け孔７を通らない大きさのストッパー部材８とからなるとともに、
前記ループコード５のループを形成する適宜なコード部位を折合わせた２本コード状態にして前記コード通し取付け孔７に通し、通り抜けた部分を広げてストッパー潜らせループ６を形成し、このストッパー潜らせループ６に前記ストッパー部材８を潜らせ、該ループコード５を引いて該ストッパー潜らせループ６を縮め締め（萎めて）て、縮め締めた該ストッパー潜らせループ６から該ストッパー部材８が抜けないようにして、よって、コード通孔付き品物Ｋに該ループコード５を直接的に取付けるようにしてなるものである。
潜らせループ６はストッパー部材８につながるループコード５の２本を締めコード通し孔７に引き込む、ループコードがコード通し孔７に入らない場合はコード通し孔７口で締めた状態で取り付け完了とするものである。
【００２５】
図１２に示す本発明を実施するための最良の形態において、その他の実施例を示す。
図１２（ａ）のループコード付き物品は、ハンドベルトからなる物品１００ａにループコード５を設け、該ループコード５にストッパー部材８（コード通し孔付き）を移動自在に設けたものである。
図１２（ｂ）のループコード付き物品は、四角体からなる物品１００ｂにループコード５を設け、該ループコード５の一部をまとめ合わせてストッパー部材８を固定形態で設けてなるものである。
図１２（ｃ）のループコード付き物品は、四角板材からなる物品１００ｃにループコード５を設け、該ループコード５に移動自在にリング部材４３にストッパー部材８を設けたコード４４を取り付けてなるものを設けたものである。
物品１００ａ、１００ｂ、１００ｃはストッパー部材８を潜らない大きさである。
【００２６】
＜第８の実施の形態＞
図１３に示す本発明を実施するための最良の形態である第８の実施の形態において前記第１の実施の形態と主に異なる点は、ストッパー部材をループコード５にコード通し取付け孔７を通らない大きさの開閉部付き環部材からなるストパー部材８６としてなるループコード付き物品８１を形成した点にある。
ストパー部材８６は開閉口８５を開閉する開閉部８８が設けられ、開閉部８８を開いて潜らせループ６を入れ閉じて外れないようにする（潜らせループ６にストッパー部材８６の一部を潜らせた状態）。いわゆる潜らせループ６を外れないように係止してコード通孔を有する品物Ｋに取付けるとともに、開閉部８８を開いて簡単で素早く潜らせループ６を外してコード通孔を有する品物Ｋから取り外すことができる、取付けコード５６を素早く簡単に着脱自在とするストパー部材として機能するようになっている。
開閉部付き環部材には通称、ナス環、丸環と呼ばれているもの、弾性力により端部と端部が付勢重なって開閉部を形成して指で摘み押しつぶし操作により口が開くようにしてなるものなど多様な形態がある。
【産業上の利用可能性】
【００２７】
本発明は主に携行グッズを製造する産業で利用される。
【符号の説明】
【００２８】
１：ループコード付き物品、
２：筐体、
３：駆動バネ、
４：巻取り体、
５：ループコード、
６：潜らせループ、
７：コード通し孔、
８：ストッパー部材、
１０：筐体形成部材、
１１：貫通筒部、
１２ａ、１２ｂ：コード引出口、
１３：物品、
１４：ロックＯＮ・ＯＦＦボタン、
１５：ロック板、
１６：ロック体、
１７：圧縮コイルバネ、
１８：裏板、
１９：ループコード付き物品、
２０：コード通孔付き品物Ｋの携行補助具、
２１：ケース本体、
２２：底開口部、
２３：底塞ぎ蓋、
２４：フック面ファスナ部材、
２５：ループ面ファスナ部材、
２６：上孔部、
２７：ケース、
２８：首掛けループ、
２９：ループコードロック部材、
３０：胴巻き部材通し部、
３１：ループ面ファスナ部材、
３２：上孔部、
３５：首掛けループ取付部、
３６：引き出し口、
３７：引き出し口、
３８：ループコード受け部、
３９：ループコード付き物品、
４０：凹み部、
４２：結束部、
４３：リング部材、
４４：コード、
４５：ロック機構部、
４６：ロック機構を設ける部位、
４７：開口部、
４８：ロックＯＮ・ＯＦＦボタン、
４９：押し出し付勢手段、
５０：コード通し孔、
５１：ループコード付き物品、
５２：ロックＯＮ・ＯＦＦボタン案内部、
５３：可動側ループコード通し部、
５５：ループコード付き物品、
５６：コード、
５７：ループ形成部材本体、
５８ａ、５８ｂ：コード通し孔、
５９：ループ形成部材、
６３：ループ形成部材、
６４：ループコード通し孔、
６５：ループコード通し孔、
６６：ストッパー部材、
６７：ストッパー部材、
６８：ループ形成部材、
６９：ループコード通し孔、
７０：ループコード通し孔、
７２：ループコード通し孔、
７３：エンド部材、
７４：ループ形成部材、
７５：ループ形成部材、
８１：ループコード付き物品、
８５：開閉口、
８６：ストパー部材、
８８：開閉部、
１００、１００ａ、１００ｂ、１００ｃ：物品。